【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
第１のトラックピッチの第１のＤＶＤ及び第２のトラックピッチの第２のＤＶＤに照射するレーザ光及びＣＤに照射するレーザ光を出射するレーザ光源と、
前記レーザ光源から出射されたレーザ光を０次光と±１次光に回折してトラッキング制御に用いるレーザ光を生成する回折格子と、を備え、
前記回折格子は、前記０次光が入射するトラックに対し、前記第１のＤＶＤにおいては２つ離れたトラックと３つ離れたトラックとの中間に、前記第２のＤＶＤ及び前記ＣＤにおいては１つ離れたトラックと２つ離れたトラックとの中間に、前記±１次光が前記０次光を中心に略点対称に入射するような格子間隔と格子方向との組み合わせを有していることを特徴とする光ピックアップ装置。
【請求項２】
前記回折格子は、前記第１及び第２のＤＶＤにおいて、前記０次光の光量Ｉ１０と＋１次光または−１次光の光量Ｉ１１の比Ｉ１０／Ｉ１１を１０以上２０以下とし、前記ＣＤにおいて０次光の光量Ｉ２０と＋１次光または−１次光の光量Ｉ２１の比Ｉ２０／Ｉ２１を１５以上３０以下となるような屈折率と格子深さとの組み合わせを有していることを特徴とする請求項１記載の光ピックアップ装置。
【請求項３】
前記第１及び第２のＤＶＤで反射されたレーザ光及び前記ＣＤで反射されたレーザ光を受光する受光器と、
前記第１及び第２のＤＶＤで反射されたレーザ光及び前記ＣＤで反射されたレーザ光を前記受光器に向かわせる光学素子と、を備え、
前記回折格子を前記光学素子の前記レーザ光源に対向する面に設けたことを特徴とする請求項１記載の光ピックアップ装置。
【請求項４】
前記第１及び第２のＤＶＤで反射されたレーザ光及び前記ＣＤで反射されたレーザ光を受光する受光器と、
前記回折格子と前記第１、第２のＤＶＤまたは前記ＣＤの間に配置され、前記第１、第２のＤＶＤ及び前記ＣＤで反射されたレーザ光を前記受光器に向かわせる光学素子と、
前記光学素子で前記受光器に向かわせられた前記第１、第２のＤＶＤ及び前記ＣＤで反射されたレーザ光に焦点誤差を与える焦点誤差生成素子と、を備えたことを特徴とする請求項１記載の光ピックアップ装置。
【請求項５】
前記焦点誤差生成素子は、前記光学素子と前記受光器との間に配置された、光軸を含んで直交する２つの断面で焦点距離が異なるレンズであることを特徴とする請求項４記載の光ピックアップ装置。
【請求項６】
前記焦点誤差生成素子は、前記光学素子が内部に有する斜面に設けられ、光軸を含んで直交する２つの断面で焦点距離が異なる回折型の反射ミラーであることを特徴とする請求項４記載の光ピックアップ装置。
【請求項７】
前記レーザ光源と前記回折格子と前記受光器と前記光学素子と前記焦点誤差生成素子とを一体のユニットとして保持して基台に固定される結合部材を備えたことを特徴とする請求項４記載の光ピックアップ装置。
【請求項８】
第１のトラックピッチの第１のＤＶＤ及び第２のトラックピッチの第２のＤＶＤに照射するレーザ光及びＣＤに照射するレーザ光を出射するレーザ光源と、
前記レーザ光源から出射されたレーザ光を０次光と±１次光に回折してトラッキング制御に用いるレーザ光を生成する回折格子と、を備え、
前記回折格子は、前記０次光が入射するトラックに対し、前記第１のＤＶＤにおいては２つ離れたトラックと３つ離れたトラックとの中間に、前記第２のＤＶＤ及び前記ＣＤにおいては１つ離れたトラックと２つ離れたトラックとの中間に、前記±１次光が前記０次光を中心に略点対称に入射するような格子間隔と格子方向との組み合わせを有している光ピックアップ装置を備えたことを特徴とする光ディスク装置。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】変更
【補正の内容】
【００３０】
請求項２の発明は、請求項１の発明において、回折格子は、第１及び第２のＤＶＤにおいて、０次光の光量Ｉ１０と＋１次光または−１次光の光量Ｉ１１の比Ｉ１０／Ｉ１１を１０以上２０以下とし、ＣＤにおいて０次光の光量Ｉ２０と＋１次光または−１次光の光量Ｉ２１の比Ｉ２０／Ｉ２１を１５以上３０以下となるような屈折率と格子深さとの組み合わせを有している光ピックアップ装置である。
【手続補正１７】
【補正対象書類名】明細書
【補正対象項目名】００３２
【補正方法】変更
【補正の内容】
【００３２】
請求項３の発明は、請求項１の発明において、第１及び第２のＤＶＤで反射されたレーザ光及びＣＤで反射されたレーザ光を受光する受光器と、第１及び第２のＤＶＤで反射されたレーザ光及びＣＤで反射されたレーザ光を受光器に向かわせる光学素子と、を備え、回折格子を光学素子のレーザ光源に対向する面に設けた光ピックアップ装置である。
【手続補正１８】
【補正対象書類名】明細書
【補正対象項目名】００３４
【補正方法】変更
【補正の内容】
【００３４】
請求項４の発明は、請求項１の発明において、第１及び第２のＤＶＤで反射されたレーザ光及びＣＤで反射されたレーザ光を受光する受光器と、回折格子と第１、第２のＤＶＤまたはＣＤの間に配置され、第１、第２のＤＶＤ及びＣＤで反射されたレーザ光を受光器に向かわせる光学素子と、光学素子で受光器に向かわせられた第１、第２のＤＶＤ及びＣＤで反射されたレーザ光に焦点誤差を与える焦点誤差生成素子と、を備えた光ピックアップ装置である。
【手続補正１９】
【補正対象書類名】明細書
【補正対象項目名】００３６
【補正方法】変更
【補正の内容】
【００３６】
請求項５の発明は、請求項４の発明において、焦点誤差生成素子は、光学素子と受光器との間に配置された、光軸を含んで直交する２つの断面で焦点距離が異なるレンズである光ピックアップ装置である。
【手続補正２０】
【補正対象書類名】明細書
【補正対象項目名】００３８
【補正方法】変更
【補正の内容】
【００３８】
請求項６の発明は、請求項４の発明において、焦点誤差生成素子は、光学素子が内部に有する斜面に設けられ、光軸を含んで直交する２つの断面で焦点距離が異なる回折型の反射ミラーである光ピックアップ装置である。
【手続補正２１】
【補正対象書類名】明細書
【補正対象項目名】００４０
【補正方法】変更
【補正の内容】
【００４０】
請求項７の発明は、請求項４の発明において、レーザ光源と回折格子と受光器と光学素子と焦点誤差生成素子とを一体のユニットとして保持して基台に固定される結合部材を備えた光ピックアップ装置である。
【手続補正２２】
【補正対象書類名】明細書
【補正対象項目名】００４２
【補正方法】変更
【補正の内容】
【００４２】
請求項８の発明は、第１のトラックピッチの第１のＤＶＤ及び第２のトラックピッチの第２のＤＶＤに照射するレーザ光及びＣＤに照射するレーザ光を出射するレーザ光源と、レーザ光源から出射されたレーザ光を０次光と±１次光に回折してトラッキング制御に用いるレーザ光を生成する回折格子と、を備え、回折格子は、０次光が入射するトラックに対し、第１のＤＶＤにおいては２つ離れたトラックと３つ離れたトラックとの中間に、第２のＤＶＤ及びＣＤにおいては１つ離れたトラックと２つ離れたトラックとの中間に、±１次光が０次光を中心に略点対称に入射するような格子間隔と格子方向との組み合わせを有している光ピックアップ装置を備えた光ディスク装置である。